Podtech/llm-jp-corpus-v4-ja_patent huggingface dataset:
(57)【要約】【課題】人の徘徊や離床や離席を検知する徘徊離床報知器用センサの表面に任意の図柄を印刷すること、及び任意の図柄を印刷したシートやフィルムを貼り付けたり挟み込んだりして図柄のセンサを提供することである。【解決手段】第一の手段は、予め決めた絵や写真やイラストの図柄をセンサの表面材にプリンタで直接印刷したことである。第二の手段は、任意の絵や写真やイラストやカメラで撮影した画像をプリンタで個別に印刷してシートを製作し、これをセンサに貼り付けたり挟み込んだりしたことである。【選択図】図１
0003103200.tif 000002
【実用新案登録請求の範囲】
【請求項１】
人の徘徊や離床や離席を検知して報知する徘徊離床報知器を構成するセンサには形状によりマット状やパネル状やシート状があり、該センサの製造において該センサの表面に任意の図柄を印刷又は任意の図柄を印刷したシートやフィルムを貼付けたり挟み込むことにより、該センサを設置する環境と融和せしめ該センサの存在に違和感が無くなることで検知が容易になるほか、部屋のインテリアとしての価値を持つことを特徴とするマット状やパネル状やシート状のセンサ。
【請求項２】
センサの表面に印刷したり貼り付けたり挟み込に使用する図柄は、任意の絵や写真やイラストのほか床の模様や絨毯やカーペットや床材フローリングの図柄など全てを含む請求項１記載のマット状やパネル状やシート状のセンサ。
【請求項３】
図柄の印刷は大量に同一図柄を印刷するほか、例えばコンピュータで作画したイラストをプリンタで印刷したり、センサを設置する部屋の床をカメラで撮影して該撮影画像により図柄を印刷したり、撮影した画像データをインターネットなどの通信方法によりコンピュータに送信し、該コンピュータと接続したプリンタによって印刷を行うことにより、たとえ撮影場所と製造場所が離れていても、しかも1枚でも任意の図柄が印刷できることを特徴とした請求項１記載のマット状やパネル状やシート状のセンサ。
【考案の詳細な説明】
【技術分野】
【０００１】
本考案は、被看護者の徘徊や離床や離席を検知するマット状やパネル状やシート状のセンサに関するものである。
【背景技術】
【０００２】
被看護者の徘徊や離床や離席を検知するセンサは機能本位であり、例えばマットスイッチはデザインや色彩は重要視されなかったため単色の単純な製品であった。しかし最近では病院や老人保健施設の住環境が大幅に改善されたため、同施設に設置する従来のセンサが周囲の環境と違和感を持つようになった。また床に設置した場合、明らかに床の模様と異なるため、センサをわざと避ける行動が見られ、被看護者の有効な検知に支障がでることもあった。これらの原因を除くため、床材や床の模様と同一の図柄を印刷したセンサにすることにより、設置していることの違和感がなくなり、センサを避ける行動が改善されることやインテリア性が高まることが期待できる。
【考案の開示】
【考案が解決しようとする課題】
【０００３】
人の徘徊や離床や離席を検知する徘徊離床報知器用センサの表面に任意の図柄を印刷すること、及び任意の図柄を印刷したシートやフィルムを貼り付けたり挟み込んだりして図柄のセンサを提供することである。
【課題を解決するための手段】
【０００４】
第一の手段は、予め決めた絵や写真やイラストの図柄をセンサの表面材にプリンタで直接印刷したことである。第二の手段は、任意の絵や写真やイラストやカメラで撮影した画像をプリンタで個別に印刷してシートを製作し、これをセンサに貼り付けたり挟み込んだりしたことである。
【考案の効果】
【０００５】
本考案のセンサは同じ図柄を大量に製造すること、及び個別に異なる図柄のセンサを製造することができる利点がある。
【考案を実施するための最良の形態】
【０００６】
予め複数の標準的な図柄を直接センサに印刷し、顧客の選択した図柄を提供する方法と、センサを設置する床の写真を撮影し、この画像をコンピュータと接続したプリンタで印刷することで個別の要求に対応できるようにした。
【実施例１】
【０００７】
図１は、マット状センサの１つであるマットスイッチ表面材に図柄を直接印刷した１実施例の平面図であり、（ａ）は床材のフローリングを印刷したもの、（ｂ）は花柄を印刷したもの、（ｃ）は足のイラストを印刷したものである。１００はマットスイッチエレメント、１０１は図柄を印刷した表面材、１０２は表面材とマットスイッチエレメントの溶着部、１０３は接点信号を取り出すケーブルである。尚、１００と１０１は貼付けも可能である。また、１０１には絵や写真やイラストなどの図柄を印刷したフィルムやシールを貼ることも可能である。
【０００８】
図２は、図柄を印刷したシートを鋏み込む方式のマットスイッチの構造の一例を示す図であり、（ａ）は平面の状態で破断により内部を説明したもの、（ｂ）は断面図である。２０１はマットスイッチの底材、２０２はマットスイッチエレメント、２０３は図柄を印刷したシート、２０４は透明のマットスイッチ表面材、２０５は２０１と２０４の溶着部である。２０３は２０２と２０４に挟み込まれた状態の構造であり、２０４の透明の表面材を通して図柄が見える。このようにすると印刷シート２０３は汚れず、傷も付かないため美観が長期間保たれる特徴がある。またこの構造では溶着する時に自由に２０３を選んで製造できる特徴がある。
【産業上の利用可能性】
【０００９】
以上説述したように本考案のセンサは、設置する場所の環境に合わせたデザインにできるため部屋に置いても違和感がなくインテリア性を持つ。また被看護人にはごく自然に見えるため抵抗感がないなどの利点があるため離床や離席の検知が効率良く出来るようになるなど被看護者の徘徊監視に大変役立つものである。
【図面の簡単な説明】
【００１０】
【図１】マットスイッチ表面材に図柄を直接印刷した１実施例の平面図である。
【図２】印刷したシートを鋏み込む方式のマットスイッチの構造の一例を示す図である。
【符号の説明】
【００１１】
１００  マットスイッチエレメント    １０１  図柄を印刷した表面材
１０２  表面材とマットスイッチエレメントの溶着部
１０３  接点信号を取り出すケーブル
２０１  マットスイッチの底材    ２０２  マットスイッチエレメント
２０３  図柄を印刷したシート    ２０４  透明のマットスイッチ表面材  
２０５  ２０１と２０４の溶着部
【図１】
0003103200.tif 000003
【図２】
0003103200.tif 000004
(57)【要約】【課題】  横臥時、腰椎を自然な湾曲状態に保つことにより、腰部にかかる負担を軽減すると共に、適度な指圧効果を与え、さらには温熱により腰部筋肉の緊張を緩和させることができる腰枕を提供する。【解決手段】  横臥時、腰部下に敷設される腰枕１であって、発熱体１０が内設されていることを特徴とする。低反発弾性フォームで形成された、長手方向に直交する断面形状が略三角の枕本体２と、該枕本体２の上面に配設された、凹凸部４を有する表面材３との間に前記発熱体１０が狭持されている。【選択図】      図１
0003103137.tif 000002
【実用新案登録請求の範囲】
【請求項１】
横臥時、腰部下に敷設される腰枕であって、発熱体が内設されていることを特徴とする腰枕。
【請求項２】
低反発弾性フォームで形成された、長手方向に直交する断面形状が略三角の枕本体と、該枕本体の上面に配設された、凹凸部を有する表面材との間に前記発熱体が狭持されている請求項１記載の腰枕。
【考案の詳細な説明】
【技術分野】
【０００１】
本考案は、横臥時などに利用する腰枕に関する。
【背景技術】
【０００２】
従来、使用に際して、どのような使用状態に於いても身体の形状に対応するよう変化でき、常に腰を包み込むような状態となり、寝返りを打った際でも、身体の状態に対応でき、背骨の状態を正しく保てるようにした腰枕がある（例えば、特許文献１参照）。
【特許文献１】登録実用第３０２７６８６号公報（第１-２頁、図１）
【考案の開示】
【考案が解決しようとする課題】
【０００３】
上掲特許文献１の腰枕は、一般のポリウレタンフォーム材を低山形横長芯材とし、その上面に高密度低反発弾性ポリウレタンフォームを接合して腰枕形状とし、更にその上面に通気性立体編物を重ね合わせたもので、低反発弾性ポリウレタンフォームにより常に身体の形状に適合すると共に、立体編物により通気性が得られるとされている。しかしながら、就寝中、腰部にツボ刺激効果を与えることや、痛みでこわばった腰部筋肉の緊張を緩和させるまでには至らなかった。
【０００４】
そこで本考案の目的は、横臥時、腰椎を自然な湾曲状態に保つことにより、腰部にかかる負担を軽減すると共に、適度な指圧効果を与え、さらには温熱により腰部筋肉の緊張を緩和させることができる腰枕を提供することにある。
【課題を解決するための手段】
【０００５】
上記課題を解決するために本考案の腰枕は、横臥時、腰部下に敷設される腰枕であって、発熱体が内設されていることを特徴とする。また、本発明の腰枕は、低反発弾性フォームで形成された、長手方向に直交する断面形状が略三角の枕本体と、該枕本体の上面に配設された、凹凸部を有する表面材との間に前記発熱体が狭持されている。
【考案の効果】
【０００６】
腰枕内に発熱体を内設させたことにより、就寝中に腰部に心地よい温熱を与えることができ、腰部筋肉の緊張を緩和させることが可能となる。また、枕本体を低反発弾性フォームにて形成したことで、腰部にかかる体圧を分散させることができ、腰椎を自然な湾曲状態に保つことができる。さらに、枕本体の上面に凹凸部を有する表面材を配設させたことで、適度なツボ刺激効果も得られる。
【考案を実施するための最良の形態】
【０００７】
以下、本考案における腰枕の実施の形態を図面に基づいて説明する。
図１は本考案における腰枕の一部切欠状態の全体斜視図を、また、図２は前記腰枕の分解斜視図を表す。本考案の腰枕１は、横臥時、腰椎を自然な湾曲状態に保つと共に、腰部に心地よいツボ刺激効果を与え、さらには、腰部筋肉の緊張を緩和させることを特徴とする。
【０００８】
腰枕１は、低反発弾性フォームで形成された、長手方向に直交する断面形状が略三角の枕本体２と、枕本体２の上面に配設された凹凸部４を有する表面材３と、枕本体２と表面材３との間に挟持された発熱体１０とで構成されている。
【０００９】
枕本体２は、長さ８５０ｍｍ、幅３６０ｍｍの長尺状に形成され、断面がなだらかな三角状を呈している。枕本体２の素材は、低反発弾性フォームで形成されている。枕本体２を構成する低反発弾性フォームは、反発弾性が低く、密度や硬さ、伸びや圧縮残留歪が高いという特性を有する。また、低反発弾性フォームとは、夫々みかけ密度０．１ｇ／ｃｃ（気体・固体比９）以下のフォームをいう。尚、発泡倍率３〜４倍（みかけ密度０．３ｇ／ｃｃ前後）を境界として、これ以下を低発泡（または高密度）フォームと分類する場合もある。
【００１０】
枕本体２を低反発弾性フォームにて形成し、上述の形状とすることで、図３に示すように、体圧に応じて枕本体２がゆっくり沈み込み、腰部にかかる体圧を分散させ、腰椎ａを自然な湾曲状態に保つことができる。
【００１１】
表面材３は、枕本体２の上面に接着剤にて固着し配設されるもので、一般的なウレタン素材からなる板状本体の全面に、複数の凹凸部４を施すことにより形成される。表面材３を枕本体２の上面に配設させることにより、凹凸部４にて腰部を点で支えることができ、心地よい指圧効果が得られる。また通気性に優れるため、身体から発せられる汗等の湿気がこもることもない。
【００１２】
発熱体１０は、枕本体２と表面材３との間であって、腰部が配置される略中央部分に挟持されている。かかる発熱体１０は、電熱線１２と、電熱線１２を被覆するカバー１１と、電熱線１２の基端に接続されたコード１３と、電源の入切、温度調節、タイマー設定等を行う操作部１４とで構成されている。なお、コード１３は、枕本体２に設けられた長溝５内に収容されている。
【００１３】
発熱体１０は、７〜１２Ｗの消費電力で、最大４２℃まで温度を高めることができる。そのため、腰部下に本考案の腰枕１を配設させることで、発熱体１０から発せられる温熱により、痛みでこわばった腰部筋肉の緊張を緩和させることができる。
【図面の簡単な説明】
【００１４】
【図１】本考案の腰枕の一部を欠切した全体斜視図である。
【図２】前記腰枕を分解した状態の斜視図である。
【図３】使用状態の断面図である。
【符号の説明】
【００１５】
１  腰枕
２  枕本体  
３  表面材
４  凹凸部
５  長溝
１０  発熱体
１１  カバー
１２  電熱線
１３  コード
１４  操作部
ａ  腰椎
【図１】
0003103137.tif 000003
【図２】
0003103137.tif 000004
【図３】
0003103137.tif 000005
(57)【要約】      （修正有）【課題】丸太を柱に固定するにあたり、木材の僅かなサイズの違いや、木材の膨張・収縮を吸収して絶えず弛みのないように丸太を柱に固定することができる部材を提供する。【解決手段】丸太１をボルトナットで柱に取り付けて固定する際に丸太にあてがう弾力のある鋼板でできた押さえ金具５が、丸太に沿うように円弧状で、その弦の長さが丸太直径の５〜７割程度で、その曲率半径が丸太の曲率半径より少し小さめの押さえ金具。【選択図】図１
0003103666.tif 000002
【実用新案登録請求の範囲】
【請求項１】
木材の丸太あるいは半割丸太を柱等にボルトナットで固定するにあたり、丸太をしっかりと押さえ込むための円弧状に湾曲した弾力を持った鋼板製で、中心部にボルトを通すための穴が穿けてあり、円弧の曲率半径が丸太の曲率半径より若干小さめにしてあることを特徴とする圧着式の丸太押さえ金具。
【請求項２】
丸太押さえ金具と木のあたり方をやわらかくするために、金具の端部の木にあたる部分を少し円弧の曲率からはずすように外に曲げてあるか、あるいは角を削って滑らかにしてあることを特徴とする請求項１記載の丸太押さえ金具。
【考案の詳細な説明】
【技術分野】
【０００１】丸太あるいは半割丸太を柱等に固定するための固定金具に関する。
【背景技術】
【０００２】従来木製の防雪柵や雪崩防止柵や木柵などの主柱に丸太あるいは半割丸太の木材を固定するには、主柱と丸太あるいは半割丸太が交差する場所にそれぞれ穴を穿け、それらを貫いてボルトを通し、木材に座金をあててナットを締めてしっかりと固定していた。【０００３】設置時点ではしっかりと固定されていても木製品は野外で風雨・日照に曝されると多少膨張・収縮し、時間がたつにつれ弛んだりすることがあった。
【考案の開示】
【考案が解決しようとする課題】
【０００４】丸太あるいは半割丸太を主柱に固定するにあたり、木材の多少の半径のばらつきや、木材の膨張・収縮等を吸収して絶えず弛みのないように丸太あるいは半割丸太を主柱に固定することができる部材を提供する。
【課題を解決するための手段】
【０００５】丸太をボルトナットで主柱に取り付けて固定する際に丸太にあてがう弾力のある鋼板でできた押さえ金具が、丸太に沿うように円弧状で、その曲率半径が丸太の曲率半径より少し小さめの押さえ金具。
【考案の効果】
【０００６】押さえ金具の曲率半径が丸太の曲率半径より少し小さくしてあるため、丸太にこの金具をあてがってボルトナットを締めていくとまず丸太を挟むように金具の両端部が丸太にあたり、さらに締め付けると鋼材の弾力で丸太の上下を適度な力で、かつ広い面積で押さえた状態で主柱に固定することができる。
【考案を実施するための最良の形態】
【０００７】円弧状の押さえ金具の両端が丸太にあたる場所は、丸太の中心から見て、丸太と主柱をつなぐボルトの上下３０〜４５度ぐらいの位置が適当である。従って押さえ金具の弦の長さは丸太の直径の約５〜７割が良い。また鋼材のバネの強さにも拠るが、その曲率半径も、丸太の曲率半径の約７ないし８割程度が良い。
【実施例】
【０００８】本考案の丸太用押さえ金具の実施例を図面に基づいて説明すると、図１は半割丸太１を主柱２にボルト３とナット４で止めている状況を示す部分断面図で、丸太用押さえ金具５の端部６は半割丸太の中心より見てボルトの上下約３０度の位置にあたっている．この実施例の場合の押さえ金具の曲率半径は半割丸太のそれの約７割にしてある。【０００９】押さえ金具と木のあたり方をやわらかくするために、図２に示すように金具の端部６を少し円弧の曲率からはずすように外に曲げてもよい。
【産業上の利用可能性】
【００１０】以上説明したように、丸太や半割丸太を使用した防雪柵や雪崩防止柵などの場合、この押さえ金具を用いて適度に締め付けておくと、木が野外で多少膨張収縮しても金具の弾力がそれを吸収し丸太は絶えずしっかりと主柱に止めておくことができる。また木材の多少のサイズの違いも吸収できる。
【図面の簡単な説明】
【００１１】
【図１】半割丸太を止めている状況を示す部分断面図。
【図２】端部を少し外に曲げた押さえ金具の概念図。
【符号の説明】
【００１２】  １  半割丸太
２  主柱
３  ボルト
４  ナット
５  押さえ金具
６  金具の端部
【図１】
0003103666.tif 000003
【図２】
0003103666.tif 000004
(57)【要約】【課題】  走行時停車時に対向車及び後方車の前照灯により反射板が反射し、車の幅及び現在位置を周知することができ、なおかつ交通事故の防止にも役立つ反射板を提供する。【解決手段】  ジンギスカン鍋状（１）の中心部に穴（２）を設け、穴（２）の周囲に一定の間隔をおいて孔（３）を設け、外周部（４）に一定の間隔をおいて反射板（５）を設けたことを特徴とする。【選択図】    図１
0003103663.tif 000002
【実用新案登録請求の範囲】
【請求項１】
ジンギスカン鍋状（１）の中心部に穴（２）を設け、穴（２）の周囲に一定の間隔をおいて孔（３）を設け、外周部（４）に一定の間隔をおいて反射板（５）を設けたことを特徴とする、車幅を周知させる反射板。
【考案の詳細な説明】
【考案の詳細な説明】
【技術分野】
【０００１】  本考案は、対向車及び後方車に車幅を知らせるために、反射板を設けた車幅を周知させる反射板に関するものである。
【背景技術】
【０００２】  従来、この構造は、自動車のドアミラーのウラ面に、反射塗料を塗ることにより、対向車のライトの光りによって反射し、光るので対向車が車の幅を確認でき、安全性があり事故防止ができる。
なお、この反射塗料付ドアミラー構造は、実開平第０１−５８４３号公報に開示されている。
【考案が解決しようとする課題】
【０００３】  これは次のような欠点があった。
（イ）日数が経つにつれ塗料が剥がれるのである。
（ロ）自然条件等が加わり塗料が色褪せて反射の効力がなくなるのである。
本考案は、これらの欠点を除くためになされたものである。
【課題を解決するための手段】
【０００４】  ジンギスカン鍋状（１）の中心部に穴（２）を設け、穴（２）の周囲に一定の間隔をおいて孔（３）を設け、外周部（４）に一定の間隔をおいて反射板（５）を設けた。
本考案は、以上のような構成よりなる車幅を周知させる反射板である。
【考案を実施するための最良の形態】
【０００５】  自動車のハブボルトにジンギスカン鍋状（１）の孔（３）を挿入装着し、走行時停車時に対向車及び後方車に反射板（５）が反射し、車幅を知らせることができるのである。
【実施例】
【０００６】  以下、本案の実施例について説明する。
（イ）ジンギスカン鍋状（１）の中心部にハブ部が接触しないように穴（２）を設けた。
（ロ）穴（２）の周囲に一定の間隔をおいて自動車のハブボルトに挿入する孔（３）を設けた。
（ハ）外周部（４）を鉛筆状に形成し、外周部（４）に一定の間隔をおいて反射板（５）を設けた。
本案は以上のような構造で、これを使用するときは、自動車のハブボルトのナットを外し、ジンギスカン鍋状（１）の孔（３）をハブボルトに挿入しナットで締め付け、走行時停車時に対向車及び後方車に反射板（５）が反射し、車の幅及び現在位置を周知させることができるのである。【０００７】  自動車の車種によりジンギスカン鍋状（１）の取り付けが異なる。
（イ）大型自動車の場合は、前輪はジンギスカン鍋状（１）の底部をタイヤホイール側に向け取り付け、後輪はジンギスカン鍋状（１）の山状をタイヤホイール側に向け取り付ける。
（ロ）普通自動車の場合は、前輪、後輪のタイヤホイールが同じなのでジンギスカン鍋状（１）の山状をタイヤホイール側に向け取り付ける。
（ハ）多種多様のタイヤホイールがあり、前記に記載したジンギスカン鍋状（１）の孔（３）が取り付け不可能の場合は、ハブボルトのナットをロングナットに替え、その外側から新たなボルトを挿入し、そのボルトにジンギスカン鍋状（１）の孔（３）を挿入しナットで締め付ける。【０００８】（イ）ジンギスカン鍋状（１）の外周部（４）はタイヤホイール以内にすることにより、悪条件でもジンギスカン鍋状（１）全体が破損しないのである。
（ロ）前輪には黄色系の反射板（５）を装着することにより、フォッグランプの役目ができ、後輪には赤色系の反射板（５）を装着することで、テールランプの役目をすることができるのである。
【考案の効果】
【０００９】  特に夜間は視界が悪く、対向車及び後方車の前照灯により反射板が反射し、車の幅及び現在位置を周知させることができるのである。
【図面の簡単な説明】
【図１】  本考案の斜視図である。
【図２】  本考案の実施例を示す斜視図である。
【符号の説明】
１  ジンギスカン鍋状
２  穴
３  孔
４  外周部
５  反射板
【図１】
0003103663.tif 000003
【図２】
0003103663.tif 000004
(57)【要約】［課題］調理中に素早く、包丁の切れ味を回復でき、調理作業の能率と技術の、向上を高めるセラミック砥石付まな板を提供する。［解決手段］丸棒状にしたセラミック砥石（２）をまな板（１）と、一体化することを特徴とする。［選択図］  図１【実用新案登録請求の範囲】
【請求項１】
（１）まな板（１）の一端に丸棒状セラッミク砥石（２）を取り付けたセラミック砥石付まな板。
【請求項２】
（２）まな板（１）の一端に筋状にした丸棒型合金鋼（２）を取り付けた合金鋼付まな板。
【考案の詳細な説明】
【技術分野】
【０００１】この考案はセラミック砥石を取り付けた，まな板に関するものである。［背景技術］【０００２】従来、まな板とセラミック砥石は別，別であった。［考案の開示］［考案が解決しようとする課題］【０００３】これはつぎのような問題点があった。従来は包丁の切れ味を回復するため、そのつど砥石を用意しなければならなかった。本考案は以上の欠点を補うために，いつでもすばやく包丁の切れ味を回復するのを目的とするものである。［課題を解決するための手段］【０００４】まな板の四方の一端にセラミック砥石を取り付ける。  以上の構成よりなるセラミック砥石付まな板である。［考案の効果］【０００５】まな板とセラミック砥石が一体化することにより，砥石を用意する手間が省け調理の能率が向上する。まな板の四方の端ならば、どこにでも取り付け可能で使う用途に合わせれば良い［考案を実施するための最良の形態］【０００６】以下，本考案の実施例について説明する。  丸棒状セラミック砥石を，まな板の平面より突起して取り付け固定する。［実施例］【０００７】本考案は以上のような構造で使用するときは，包丁の刃の部分をセラミック砥石に左右、上下にあてこすり付けることによって刃の部分が研磨される。［産業上の利用可能性］【０００８】本考案のセラッミック砥石付まな板は，まな板に取り付ける砥石はセラミックに限らず、合金鋼でも、鉱石でも研磨度が高ければよい。
【図面の簡単な説明】
【０００９】［図１］「セラミック砥石付まな板を示した平面図である。」のように記載します。［図２］「セラミック砥石付まな板を示した断面図である。」のように記載します。［図３］「セラミック砥石付まな板の用途を示した図である。」のように記載します。
【符号の説明】
【００１０】１  まな板２  セラミック砥石（合金鋼，併用）３  包丁
【図１】
0003103665.tif 000002
【図２】
0003103665.tif 000003
【図３】
0003103665.tif 000004
(57)【要約】      （修正有）【課題】耳栓の芯材の最奥部に設けたハブの通気孔に詰まった耳垢を容易に取り除くことが出来,また伝音孔に耳垢が詰まらないベント機能を備えた耳栓の開発。【解決手段】スポンジ状のスリーブ２は円板状の張り出しハブ５を複数個そなえる伝音孔４を有する芯材１と一体構成されている。最奥部のハブ８には通気孔は設けず、芯材伝音孔４の最奥部に極細の線で作った網目９を構成し、伝音孔４に耳垢が入らない形状とし、最奥部のハブ８と一つ手前のハブの間に伝音孔に通じる通気孔１０を設け、他のハブにはそれぞれ対角となる角度に通気孔６，７を設け、最前ハブの通気孔を経て外気とつながる穴に通じており外気との気圧差を無くしている。【選択図】図３
0003103662.tif 000002
【実用新案登録請求の範囲】
【請求項１】
スポンジ状のスリーブと芯材からなる耳栓において芯材最奥部のハブには通気孔を設けず、伝音孔に網目を構成したことを特徴とする耳栓の構造。
【請求項２】
耳栓の芯材の最奥部のハブの手前に伝音孔に至る通気孔を設け、最奥部のはぶを除く各ハブに通気孔を設け、外気に通じる通気孔を備えたことを特徴とする第１項記載の耳栓の構造。
【考案の詳細な説明】
【技術分野】
【０００１】  この考案は、騒音防止用防音耳栓や補聴器など音響機器に用いられる耳栓の構造にかかるものである。
【背景技術】
【０００２】従来の耳栓は図１に示すごとくスポンジ状のスリーブ２は伝音孔４を有する芯材１を中心に一体構成されている。芯材の前部に外気とつながる穴３が開いていて外気との気圧差を無くしている。
また図２スポンジ状のスリーブ２は伝音孔４を有する芯材１を中心に一体構成されている。芯材の最奥部ハブ８および各ハブ５には通気孔６，７を設け前部に外気とつながる穴３に連結して外気との差を無くしている。
【考案の開示】
【考案が解決しようとする課題】
【０００３】耳栓の芯材の最奥部に設けたハブの通気孔には直に耳垢が詰まってしまい容易に取り除くことが出来なかった。また伝音孔にも耳垢がつまり音を伝えなくなることが有り、耳垢が詰まらないベント機能を備えた耳栓の開発が望まれていた。
以上のような欠点を無くすためになされたものである。
【課題を解決するための手段】
【０００４】耳栓の芯材最奥部のハブには通気孔を設けず、芯材伝音孔の最奥部に極細の線で網目を構成し、伝音孔に耳垢が入らない形状となし、かつ該網目手前の伝音孔に通気孔を開け、他の各ハブにも通気孔を設け耳孔と外気の気圧差を無くすことが出来る。
伝音孔に耳垢が入らないのでベント効果が長期間保たれる。
【考案の効果】
【０００５】耳栓の芯材最奥部ハブの伝音孔に網目を構成し該ハブの手前に通気孔を備えた構成とし、耳穴と外気とは長い経路を経て外気とつながる穴３に通じており、外気との差をなくしている。耳垢が伝音孔に入らないためベント作用は衰えず、耳垢が伝音孔をふさぐことは無くイヤホンの故障の原因を取り除くことが出来る。
【考案を実施するための最良の状態】
【０００６】以下、本考案の実施例について説明する。
図３は改善された構造の例である。スポンジ状のスリーブ２は円板状の張り出しハブ５を複数個そなえる伝音孔４を有する芯材１と一体構成されている。
最奥部のハブ８には通気孔は設けず、芯材伝音孔４の最奥部に極細の線で作った網目９を構成し、伝音孔４に耳垢が入らない形状とし、最奥部のハブ８と一つ手前のハブの間に伝音孔に通じる通気孔１０を設け、他のハブにはそれぞれ対角となる角度に通気孔６，７を設け、最前ハブの通気孔を経て外気とつながる穴に通じており外気との気圧差を無くしている。
スリーブ２と芯材１とは接着剤で一体化されるがハブの先端部で接着するので、ハブ空隙となり、耳穴と外気とは長い経路を経て連通し、耳穴内と外気との間に気圧差が発生する等の問題点が解決する。
【図面の簡単な説明】
【０００７】
【図１】  従来の耳栓を示す断面図である。
【図２】  従来の伝音孔を備え、芯材に通気孔を有するハブを備えた耳栓の断面図である
【図３】  本考案の伝音孔の最奥部に網目を構成し、手前に通気孔を備えた耳栓の断面図である。
【符号の説明】
【０００８】        １・・・・・芯材
２・・・・・スリーブ
３・・・・・外気とつながる穴
４・・・・・伝音孔
５・・・・・ハブ
６，７・・・ハブの通気孔
８・・・・・最奥部のハブ
９・・・・・網目
１０・・・・伝音孔に通じる通気孔
【図１】
0003103662.tif 000003
【図２】
0003103662.tif 000004
【図３】
0003103662.tif 000005
(57)【要約】【課題】  本考案は、外で作業する測量等の様に、計算表等を手で持ちながら作業するため、平らで無い不安定な所で計算表等のデータを読み取りながら同時に測量等の作業する場合に、定規を手で押さえる事無く必要な数字を簡易、容易に間違えずに数字を読み取る事が出来るようにする。【解決手段】  本考案は、データリード定規部１の中央部分に数字等を読み取る事が出来る幅を持たせた透明のデータ読み取り窓３を横一直線に設け、データリード定規部１の一端にクリップボード等に固定する為のクリップ部２を設けた、クリップ付データリード定規。【選択図】    図１
0003103664.tif 000002
【実用新案登録請求の範囲】
【請求項１】
データ読み取り窓を設けた定規の一端に、クリップボード等に固定する為のクリップ部を設けた、クリップ付データリード定規。
【考案の詳細な説明】
【技術分野】
【００１】  本考案は、定規の中央部分に数字等を読み取る事が出来る幅を持たせた透明のデータ読み取り窓を横一直線に設けた定規の一端に、クリップボード等に固定する為のクリップ部を設けた、クリップ付データリード定規に関するものである。
【背景技術】
【００２】  従来、データを読むための窓を設けた定規はあったが、従来の物は読み取る計算表等を机等の平らな安定した場所で使用することを想定した物であった。
【考案の開示】
【考案が解決しようとする課題】
【００３】  従来のデータを読むための窓を設けた定規は、読み取る計算表等を机等の平らな安定した場所で使用することを想定した物であった為、手で持ちながら平らで無い不安定な場所で使用する場合、データを読み取る為に定規を手で押さえ、もう一方の手で読み取る計算表等を固定しておかなければならない為、手がふさがり読み取る計算表等を見ながら簡易、容易に他の作業を同時に行う事が出来ない欠点があった。
【課題を解決するための手段】
【００４】  本考案は、定規の中央部分に数字等を読み取る事が出来る幅を持たせた、透明のデータ読み取り窓を横一直線に設けた定規の一端に、クリップボード等に固定する為のクリップ部を設ける事により上記の問題点を解決するものである。
【考案を実施するための最良の形態】
【００５】  本考案は、図１に示すように、データリード定規部１の中央部分に数字等を読み取る事が出来る幅を持たせた透明のデータ読み取り窓３を横一直線に設ける為に、透明の定規中央部分に数字等を読み取る事が出来る幅を残して、上下に着色部分４（定規下の数字等が少し透き通る軽度の着色）を施す事によって透明の読み取り窓３を設け、データリード定規部１の一端にクリップボード等に固定する為のクリップ部２を固定ネジ６で固定し設けた、クリップ付データリード定規。
【実施例】
【００６】  以下、添付図面に従って一実施例を説明する。図１に示すように、アクリル製のデータリード定規部１を図３のように両肩を斜めにカットした形体にし、中央部分に数字等を読み取る事が出来る幅を持たせた透明のデータ読み取り窓３（約４ｍｍ幅）を横一直線に設ける為に、透明アクリル製データリード定規部１の中央部分にデータ読み取り窓３（約４ｍｍ幅）の幅を残して上下に着色部分４（定規下の数字等が少し透き通る軽度の薄い緑色に着色）を施す事によって透明の読み取り窓３を設け、【００７】  定規の目盛５は、両端に１００分の１、２５０分の１の目盛をそれぞれ設け、【００８】  また、アクリル製データリード定規部１の一端にクリップボード等に固定する為のクリップ部２を、図２に示すようにクリップの上片面がアクリル製データリード定規部１と平行になるように固定ネジ６で固定し設けた、クリップ付データリード定規。
【考案の効果】
【００９】  上記の様に、本考案のクリップ付データリード定規は、定規の中央部分に数字等を読み取る事が出来る透明のデータ読み取り窓を横一直線に設け、データリード定規部の一端に、クリップボード等に固定する為のクリップ部を設けた事により、読み取る計算表等をクリップボードのクリップに固定して、データリード定規部をその上に乗せて図４の使用例の様にクリップ部でクリップボードの横を挟んで固定する事により、測量等で計算表等を手に持ち数字等を見ながら外で作業する場合に、風が強い時に風で計算表等があおられる事無く、手で押さえずに数字等を読み取る事が出来る。
【０１０】  また、測量の計算表は同じ様な数字が、上下に並んでいるため数字を読み間違えてしまう事がある、読み間違えてしまうと大変なことに成ってしまう、しかし本考案は、読み取り窓が横一直線に設けてあるので上下の数字を読み間違える事無く欲しい数字を簡単に見ることが出来る、また必要な数字の場所にデータ読み取り窓を自由に移動する事により、片手に計算表を持ちながらでも素早く手で定規を押さえて置く事無く見たい数字を見ながら測量の作業を、容易に見間違える事なく出来る効果がある。
【図面の簡単な説明】
【０１１】
【図１】  平面図
【図２】  側面図
【図３】  Ａ−Ａ断面図
【図４】  使用例
【符号の説明】
【０１２】      １・・・データリード定規部
２・・・クリップ部
３・・・データ読み取り窓
４・・・データリード定規の着色部分
５・・・目盛部
６・・・固定ネジ
７・・・クリップボード
８・・・計算表
【図１】
0003103664.tif 000003
【図２】
0003103664.tif 000004
【図３】
0003103664.tif 000005
【図４】
0003103664.tif 000006
(57)【要約】      （修正有）【課題】座ったままで、他の用事をしながらでも使用することができる足裏健康器具を提供する。【解決手段】ボート上面に足が滑りやすい先端がボール状等の形状をした棒状の突起であり、大きさや長さ等が様々であるものを、ボード本体の縦横中心線上、または縦横中心線より一定距離上下左右平行に離れた箇所に設けたことを特徴とする。【選択図】図１
0003103696.tif 000002
【実用新案登録請求の範囲】
【請求項１】
ボード上面に、足が滑りやすいボール状等の形状をした、棒状の突起を備え設けたことを特徴とする足裏健康器具。
【請求項２】
前記突起は、ボード本体の縦横中心線上、または縦横中心線より一定距離上下左右平行に離れた箇所に設けたことを特徴とする請求項１記載の足裏健康器具。
【請求項３】
前記突起の設置箇所数は、ボード本体の横中心線より平行に上位の位置に２箇所、下位の位置に２箇所、ボード本体の横中心線上に、ボード本体中心点より左に２箇所、右に２箇所、の計８箇所であることを特徴とする請求項１または２記載の足裏健康器具。
【請求項４】
前記突起のうち、上位の位置に２箇所、下位の位置に２箇所、計４箇所の突起の設置範囲は、使用者の足の裏の大きさの範囲内であることを特徴とする請求項１・２または３記載の足裏健康器具。
【請求項５】
前記突起のうち、上位の位置２箇所の突起の設置間隔は、下位の位置２箇所の突起の設置間隔よりも狭く、長さも短いことを特徴とする請求項１・２・３または４記載の足裏健康器具。
【請求項６】
ボード本体の横中心線上に、ボード本体の中心点より左右に設けられた突起の設置位置は、ボード本体の横中心線より平行に上位の位置に２箇所、下位の位置に２箇所設けられた突起よりも、ボード本体の縦の中心線から離れた位置に設けることを特徴とする、請求項１・２・３・４または５記載の足裏健康器具。
【考案の詳細な説明】
【技術分野】
【０００１】  この考案は、足の裏等に用いる足裏健康器具の形状に関する。
【背景技術】
【０００２】  現在の足裏健康器具やマットは、同じ形状で同じ大きさ、そして同じ高さである突起を複数設けたものが多い。
【考案の開示】
【考案が解決しようとする課題】
【０００３】  しかしながら、以上の技術によれば、起立した状態で器具上にて足踏みし、使用するものが多く、使用する場所も限られてくる。【０００４】  そこでこの考案は、座ったままで、他の用事をしながらでも使用することができる足裏健康器具を提供することを課題とする。
【課題を解決するための手段】
【０００５】  以上の課題を解決するために、第一考案は、ボード上面に足が滑りやすい突起を設けたことを特徴とする足裏健康器具である。【０００６】  第二考案は、先端がボール状等の形状をした棒状の突起であり、大きさや長さ等が様々であるものを、ボード本体の縦横中心線上、または縦横中心線より一定距離上下左右平行に離れた箇所に設けたことを特徴とする足裏健康器具である。
【考案の効果】
【０００７】  第一考案、そして第二考案によれば、ボード上面に足が滑りやすい突起を設けたことにより、座ったまま突起上で、足を前後左右斜め方向等、自由に足を滑らせたり、足踏みしたりすることにより、足の裏に適度な刺激があたえられ、健康増進、ストレス解消を図ることができる。座ったまま使用できるので、会社などでのデスクワーク中にでも使用することが可能となる。
【考案を実施するための最良の形態】
【０００８】  本考案の一実施形態を、図１を参照しながら説明する。符号１１はボード本体であり、２１・２２・３１・３２・４１・４２・５１・５２は突起である。【０００９】  ボード本体１は容易に変形しない木や硬質の樹脂などでできている。そして全ての突起はボード本体１と同様の材質であり、図にあるように、先端が、ボール状等の形状をした棒状の突起である。【００１０】  突起の形状はボール状等の形状が望ましく、ボール状等の形状とは、ラグビーボールの様な形状のものでもよく、突起の形状に角が無ければ良い。【００１１】  図１に示す実施形態では、ボード本体１の縦横中心線上、または縦横中心線より一定距離上下左右平行に離れた箇所に突起を設けている。【００１２】  突起２１と突起２２は、突起３１と突起３２よりも短くなっているのが特徴で、これにより足を前方へ容易に滑らせることができる。【００１３】  突起３１と突起３２との間隔は、起２１と突起２２との間隔よりも広い。これにより、突起上に足を乗せても足が不安定にならない。【００１４】  突起４１と突起４２は、突起２１と突起２２、突起３１と突起３２に比べて、突起が全体的に大きいのが、特徴である。突起４１または突起４２を単独で使用することにより、足の裏の特定部分に指圧効果を得ることができる。【００１５】  突起５１と突起５２は、ボードの左右両端に設けてある。大きさはその他の突起に比べて大きく、形状は楕円形であり、突起上面部分の形状は平面的である。これにより、突起５１と突起５２の上では、やさしい指圧効果を足の裏に受けることができる。また、突起上面部分の形状が平面的であるので、そのまま突起上で足を休めることもできる。【００１６】「実施形態の効果」
この実施形態によれば、突起２１・２２・３１・３２・４１・４２・５１・５２の先端の形状がボール状等なので、前後左右斜め方向等、自由に、簡単に足を滑らせることができる。そして、突起上で自由に、簡単に足を滑らせることが可能となることにより、座った状態での使用が可能となる。その結果、突起上で、足の裏に身体の全体重を受けることがなくなり、自分自身で足踏み加減が調節できるので、足の裏が痛くない。座った状態での使用が可能となることにより、机の下などに置いて、仕事をしながらでも使用することが可能となる。結果、日常的に使用することができ、日常的に足の裏に適度な指圧効果を得ることができるので、健康増進、ストレス解消などの効果を得ることができ、健康管理にも非常に有効であり、仕事をしながらでも使用することができるので、無理なく継続することができる。【００１７】「他の実施形態」
図１の実施形態では、突起はボード１の縦横中心線上、または縦横中心線より一定距離上下左右平行に離れた任意の箇所に必要数設けている。しかし他の実施形態では、本体表面の様々な場所に突起を複数設けたもので良い。しかし器具やマット上に設けられた突起が、同じ形状で同じ大きさ、そして同じ高さであるものが複数設けられているものが多いために、突起を設けた後の器具やマットの上面が平面的になり、足を滑らせる際に、摩擦抵抗が大きくなり、足を自由に簡単に滑らせることができにくい。仮にできたとしても、突起を設けた後の器具やマットの上面が平面的なので、さほど指圧効果を得ることができない。
【図面の簡単な説明】
【００１８】
【図１】この考案の一実施形態を示す斜視図である。
【図２】従来技術を示す斜視図である。
【符号の説明】
【００１９】  １１          ボード
２１・２２    突起
３１・３２    突起
４１・４２    突起
５１・５２    突起
【図１】
0003103696.tif 000003
【図２】
0003103696.tif 000004
(57)【要約】【課題】  ゴルフボールとリングを平行にアドレスすることにより、方向性も安定し正確なパッティングができ、なおかつ通気性を良くしたフェース面は、強風でも正確なパッティングができるパターのヘッドを提供する。【解決手段】  円柱（１）を輪切りに形成し、円柱（１）の上下左右に棒状（２）を設け、帯板台形状（３）の内部に円柱（１）、棒状（２）を設け、帯板台形状（３）の上部中央にリング（４）を設け、リング（４）の周囲からシャフト（５）を設けたことを特徴とする。【選択図】  図１
0003103698.tif 000002
【実用新案登録請求の範囲】
【請求項１】
円柱（１）を輪切りに形成し、円柱（１）の上下左右に棒状（２）を設け、帯板台形状（３）の内部に円柱（１）、棒状（２）を設け、帯板台形状（３）の上部中央にリング（４）を設け、リング（４）の周囲からシャフト（５）を設けたことを特徴とする、通気性及び方向性の良いパターのヘッド。
【考案の詳細な説明】
【考案の詳細な説明】
【技術分野】
【０００１】  本考案は、強風のときヘッドが揺れないように、フェース面を風通しを良くし、方向性も正確にするために設けた通気性及び方向性の良いパターのヘッドに関するものである。
【背景技術】
【０００２】  従来、この構造は、Ｃｕ２０〜３０％、Ｎｉ０．２〜１．５％、残部Ａｇの合金からなるヘッドを有したゴルフパター。
なお、ゴルフパター構造は、特開平５−１１１５５６号公報に開示されている。
【考案が解決しようとする課題】
【０００３】  これは次のような欠点があった。
（イ）強風のときパターのヘッドがパッティングのとき揺れていた。
（ロ）パッティングのとき通気性が悪く方向性が定まらなかった。
本考案は、これらの欠点を除くためになされたものである。
【課題を解決するための手段】
【０００４】  円柱（１）を輪切りに形成し、円柱（１）の上下左右に棒状（２）を設け、帯板台形状（３）の内部に円柱（１）、棒状（２）を設け、帯板台形状（３）の上部中央にリング（４）を設け、リング（４）の周囲からシャフト（５）を設けた。
本考案は、以上のような構成よりなる通気性及び方向性の良いパターのヘッドである。
【考案を実施するための最良の形態】
【０００５】  フェース面を風通しを良くし、方向性も正確であり、強風でもパッティングのときヘッドが揺れず、目的方向にゴルフボールを打てるのである。
【実施例】
【０００６】  以下、本案の実施例について説明する。
（イ）円柱（１）を輪切りに形成し、円柱（１）の上下左右に棒状（２）を設けた。
（ロ）帯板台形状（３）の内部に円柱（１）と棒状（２）を設けた。
（ハ）帯板台形状（３）の上部中央にゴルフボールと同じ大きさのリング（４）をフェース面とは逆の方向に寝かせた状態で設け、リング（４）の周囲からシャフト（５）を設けた。
本案は以上のような構造で、これを使用するときは、両手でグリップを握り、目的方向へゴルフボールとリング（４）を平行にアドレスし、パッティングのとき強風でもフェース面が通気性を良くしたことにより、ヘッドが揺れず正確に目的方向へゴルフボールを打てるのである。
【考案の効果】
【０００７】  通気性を良くしたフェース面は、強風でもヘッドが揺れず、方向性も安定し正確に打球できるのである。
【図面の簡単な説明】
【図１】本考案の一部を欠いた斜視図である。
【符号の説明】
１  円柱
２  棒状
３  帯板台形状
４  リング
５  シャフト
【図１】
0003103698.tif 000003
(57)【要約】【課題】従来の段ボールパレットの桁は、耐荷重に重点をおいて作られているため、強度は強いものの、天板や底板との接着強度が弱かったり、取り付け方法が難しい等の課題があった。【解決手段】本考案は円筒形紙管の円周面の上下２か所を切削し、平坦面をもった偏平紙管桁を作り、これを水平に設置して、この平坦面に段ボールの天板と底板を貼り合わせる事で、接着力の強い堅牢な段ボールパレットを作る事に成功した。【選択図】図  １【実用新案登録請求の範囲】
【請求項１】
段ボールパレットの桁が、偏平な紙管でなり、紙管は円柱の方向が水平に設置されており、段ボールの天板と底板の面に平行である事を特徴とする、偏平紙管桁段ボールパレット。
【請求項２】
請求項１において、偏平紙管桁は円筒形紙管の、上部と下部の円周面の一部を切削して、上下２か所に平行する平坦面を形成し、この平坦面に段ボールの天板と底板を貼り合せる事を、特徴とする偏平紙管桁段ボールパレット。
【請求項３】
請求項１において、円筒形紙管の円周面を切削して作られる平坦面が、１か所又は複数か所ある偏平紙管を、パレットの桁として使用している事を、特徴とする偏平紙管段ボールパレット。
【請求項４】
請求項３において、平坦面が１か所又は複数か所ある、偏平紙管桁を木製パレットの桁として使用している事を、特徴とする木製パレット。
【考案の詳細な説明】
【考案の詳細な説明】
【技術分野】
【０００１】本考案は段ボールパレットの分野に関する。
【背景技術】
【０００２】従来段ボールパレットに使用される桁は、段ボールを幾層にも貼合わせた積層桁や、紙管を輪切りにしたものを、垂直に立てて天板や底板に貼り合わせたものが多く使用されている。
【考案が解決しようとする課題】
【０００３】これらの積層桁や、紙管桁は強度は強いものの、段ボールパレットの天板や底板への接着力が弱かったり、取り付け方法が難しい等の問題や、価格が高くなってしまうと言う課題がある。
【課題を解決するための手段】
【０００４】これらの課題を解決する方法として、円筒形紙管の円周部の上部と下部２か所を切削して、平坦面のある偏平紙管を作り、これを桁として水平に設置し、平坦面に天板と底板を貼り合わせる事によって、強固な接着力を得る事に成功した。
【考案の実施形態】
【０００５】以下本考案の基本的な形態について説明する。
図２は肉厚のある円筒形紙管を、長さ１０ｃｍ〜３０ｃｍに輪切りにした紙管の円周面の、上下２か所を厚み１０ｍｍ程度切削して平坦面Ａのある二偏平紙管桁３を作り、これを桁として通常は９個水平に設置して、上下に段ボールの天板１と底板２を貼り合わせて偏平紙管桁段ボールパレット図１は完成する。
【０００６】図３は切削した平坦面Ａが一か所の、一偏平紙管桁４である。通常この偏平紙管桁は長さ９０ｃｍ〜１１０ｃｍと長く作られて、二方差しパレットやスキットパレット図４等に使用される。
【０００７】図５は切削した平坦面Ａが上下２か所の他に、側面にも平坦面Ａが作られた四偏平紙管桁５である。
【０００８】図６は四偏平紙管を２個並べた並列桁６である。通常この桁は、パレットの積荷が大きくて重い場合、２個を並列に並べて１個の桁として使用される。２個並べるとき側面に平坦面Ａがある方が固定しやすい。
【０００９】図７は並列桁６を、９個使用したパレットの実施例である。
【考案の効果】
本考案による偏平紙管桁パレットの最大の効果は、紙管の再利用にある。現在印刷用ロール紙に使用された紙管は、その多くが産業廃棄物として処理されているが、紙管は堅くて丈夫なため、その処理に手間がかかり、しかもその量が大変多いため、処理費用も高額なものになっている。
本案はこの大量に出る紙管を、少し加工する事によってパレットの桁として、再利用し廃棄物の量を減少させると共に、安価で堅牢なパレットを提供するものである。
【図面の簡単な説明】
【００１０】
【図１】偏平紙管桁段ボールパレット
【図２】二偏平紙管桁
【図３】一偏平紙管桁
【図４】一偏平紙管桁スキットパレット
【図５】四偏平紙管桁
【図６】並列桁
【図７】並列桁段ボールパレット
【符号の説明】
【００１１】１        天板
２        底板
３        二偏平紙管桁
４        一偏平紙管桁
５        四偏平紙管桁
６        並列桁
Ａ        平坦面
【図１】
0003103694.tif 000002
【図２】
0003103694.tif 000003
【図３】
0003103694.tif 000004
【図４】
0003103694.tif 000005
【図５】
0003103694.tif 000006
【図６】
0003103694.tif 000007
【図７】
0003103694.tif 000008
(57)【要約】【課題】  公衆便所等を利用する場合、便座シ−トを安直に使用できるようにする。【解決手段】  テッシュペ−パ−２の多数枚を１枚ずつ折り畳んで収容した四角形の包装体１に、そのテッシュペ−パ−２に重ねて、便座上を被って敷くことができる大きさの水溶性の便座シ−ト３が折り畳んで収容され、収容体１にはテッシュペ−パ−２と便座シ−ト３の取り出し部１ａが設けられている。【選択図】  図１
0003103693.tif 000002
【実用新案登録請求の範囲】
【請求項１】
テッシュペ−パ−の多数枚を１枚ずつ折り畳んで収容した四角形の包装体に、そのテッシュペ−パ−に重ねて、便座上を被って敷くことができる大きさの水溶性の便座シ−トが折り畳んで収容され、上記包装体にはテッシュペ−パ−と便座シ−トの取り出し部が設けられていることを特徴とするテッシュペ−パ−の包装物。
【請求項２】
包装体は合成樹脂フイルム製の封じされた袋状のものであることを特徴とする請求項１記載のテッシュペ−パ−の包装物。
【請求項３】
包装体は取り出し部を開閉できる蓋片を備えた紙製の箱状のものであることを特徴とする請求項１記載のテッシュペ−パ−の包装物。
【請求項４】
便座シ−トは凹凸が付与された水溶性の紙製シ−トであって、窓穴を形成するために便座の内周縁にほぼ沿う状態で切れ目が設けられていることを特徴とする請求項１、２，３記載のテッシュペ−パ−の包装物。
【考案の詳細な説明】
【技術分野】
【０００１】  本考案は、公衆便所等を利用する時に便利である、便座シ−トを備えたテッシュペ−パ−の包装物に関する。
【考案の開示】
【考案が解決しようとする課題】
【０００２】  例えば、公衆便所を利用し、便器に腰掛けて用を足す場合、便座に直接腰掛けることは違和感があり、また、便座が汚れているときの不快感は大きく、用を足さずに我慢するということが往々にしてある。他方、合成樹脂フイルム製である四角形の袋状のものにテッシュペ−パ−を１枚づつ取り出し易いように折り畳んで収容し、ポケット等に入れて安直に使用できるようにしたテッシュペ−パ−の包装物は広く知られている。本考案の目的は、このようなテッシュペ−パ−の包装物に着目し、誰でも安直に便座シ−トを持ち歩きできるようにして、公衆便所等での便座使用時の上記不具合を解消できるようにしたテッシュペ−パ−の包装物を提供することにある。
【課題を解決するための手段】
【０００３】  上記目的を達成するために、本考案の特徴とするテッシュペ−パ−の包装物は、テッシュペ−パ−の多数枚を１枚ずつ折り畳んで収容した四角形の包装体に、そのテッシュペ−パ−に重ねて、便座上を被って敷くことができる大きさの水溶性の便座シ−トが折り畳んで収容され、この包装体にはテッシュペ−パ−と便座シ−トの取り出し部が設けられている構成である。【０００４】  上記構成において、テッシュペ−パ−は従来のそれと同様に水溶性のものであり、包装体は合成樹脂フイルム製である封じされた袋状のもの乃至は紙製である箱状のものであって、袋状のものには取り出し部を形成するために切れ目等が設けられているが、箱状のものは一端面側を開口し、その開口へ差し込みできる開閉自在な蓋片を設けるようにして取り出し部を形成するのが好ましい。【０００５】  また、便座シ−トは便座のほぼ内周縁に対応した窓穴を形成できるようにしたもので、その窓穴を形成するために、便座シ−トには便座の内周縁にほぼ沿う状態で切れ目等が設けられており、該便座シ−トの使用時に中間部を切り取って窓穴を形成できるようにした従来の紙製である水溶性の便座シ−トを用いることもできるが、便座シ−トは凹凸を付与した紙製のシ−トであることが腰掛けた際の感触を和らげると同時に違和感を解消する上に好ましい。
【考案の効果】
【０００６】  本考案は上記の如くであって、便座シ−トはテッシュペ−パ−と一緒に収容されているために意識しないで持ち歩きでき、通常のテッシュペ−パ−の使用にも支障とならない利便性がある。また、公衆便所等を利用する時は必要に応じて随時便座シ−トを取り出して安直に使用できるものであって、用を足さずに我慢するという不都合が解消されることは勿論、使用済みの便座シ−トはそのまま便器内へ捨てて溶解流出させることができる。
【考案を実施するための最良の形態】
【０００７】  以下に、本考案を実施した一形態を図１〜図３参照して説明する。１は水溶性のテッシュペ−パ−２の多数枚を１枚ずつ折り畳んで収容した包装体であって、この包装体１には、テッシュペ−パ−２と重ねて、後述する水溶性の便座シ−ト３が１〜２枚程度折り畳んで収容されている。包装体１は、従来のそれと同様に例えば合成樹脂フイルム製であって、封じされた袋状に形成されており、その表裏両面にはテッシュペ−パ−２と便座シ−ト３の取り出し部１ａ，１ａを形成するための切れ目或いは剥離できる重合部（図示せず）等が設けられている。【０００８】  水溶性の便座シ−ト３は紙製であって、図示のように凹凸が付与されているシ−トであることが好ましく、この便座シ−ト３は仮想線で輪郭を示す便座（図３参照）上を被って敷くことができる大きさのものであって、図示の場合は、折り畳んで包装体１に収容することが容易にできるように、便座から若干はみ出した大きさの四角形に形成されているが、これは便座の平面形状と相似であってもよい。便座シ−ト３には便座の内周縁４にほぼ沿う状態でミシン目等の切れ目３ａが設けられており、便座シ−ト３の使用時に中間部を切り取って、便座シ−ト３に窓穴を形成して使用する。【０００９】  次に、図４を参照して、本考案を実施した他の形態を説明する。包装体１１は紙製である四角形の箱状のものであって、その包装体１１の一端面側は開口して取り出し部１１ａに形成されており、包装体１１には前述した先の形態のものと同様なテッシュペ−パ−２と便座シ−ト３が収容されている。取り出し部１１ａには開閉自在な蓋片１１ｂが設けられており、この箱状のものは取り出し部１１ａを共用できる。
【図面の簡単な説明】
【００１０】
【図１】  本考案の実施例の一形態を一部を切り欠いて示す斜視図である。
【図２】  図１のＡ−Ａ線断面図である。
【図３】  図１に示す便座シ−トの斜視図である。
【図４】  本考案の実施例の他の形態を一部を切り欠いて示す斜視図である。
【符号の説明】
【００１１】  １，１１は包装体
１ａ，１１ａは取り出し部
２はテッシュペ−パ−
３は便座シ−ト
３ａは切れ目
【図１】
0003103693.tif 000003
【図２】
0003103693.tif 000004
【図３】
0003103693.tif 000005
【図４】
0003103693.tif 000006